(57)【要約】【課題】出力インピーダンスを大きくしつつ、出力オフセット電圧を低減する。【解決手段】非反転入力端子に基準交流電圧Ｖ１が入力されると共に反転入力端子が基準抵抗１２を介してグランド電位に接続された演算増幅器１１ａを少なくとも有する増幅回路１１、および増幅回路１１の出力部３ａと反転入力端子との間に接続された帰還抵抗１３を有し、基準交流電圧Ｖ１と基準抵抗１２とで規定される交流定電流Ｉ１を出力部３ａから出力する増幅部３と、交流定電流Ｉ１に含まれている直流電流成分を除去して出力するコンデンサ４とを備え、増幅回路１１の出力部３ａから出力される電圧Ｖ２に含まれている直流電圧成分を検出してその直流電圧成分の大きさに応じた直流補償電圧を演算増幅器１１ａの非反転入力端子にフィードバックすることにより、電圧Ｖ２における直流電圧成分を低減する補償部５を備えている。【選択図】図１
2011221778.tif 000002
【特許請求の範囲】
【請求項１】
非反転入力端子に基準交流電圧が入力されると共に反転入力端子が基準抵抗を介して基準電位に接続された演算増幅器を少なくとも有する増幅回路、および当該増幅回路の出力部と前記反転入力端子との間に接続された帰還抵抗を有し、前記基準交流電圧の電圧値と前記基準抵抗の抵抗値とで電流値が規定される前記交流定電流を前記出力部から出力する増幅部と、
前記出力部に接続されて前記交流定電流を入力すると共に当該交流定電流に含まれている直流電流成分を除去して出力するコンデンサとを備えた交流定電流出力装置であって、
前記増幅回路の前記出力部から出力される出力電圧に含まれている直流電圧成分を検出して当該検出した直流電圧成分の大きさに応じた直流補償電圧を前記演算増幅器の前記非反転入力端子にフィードバックすることにより、前記出力電圧における前記直流電圧成分を低減する補償部を備えている交流定電流出力装置。
【請求項２】
前記補償部は、前記出力電圧を入力して当該出力電圧に含まれている前記直流電圧成分を検出すると共に、当該検出した直流電圧成分を反転して前記直流補償電圧として前記非反転入力端子に出力する反転増幅回路を備えて構成されている請求項１記載の交流定電流出力装置。
【発明の詳細な説明】
【技術分野】
【０００１】
本発明は、交流定電流を生成して出力する交流定電流出力装置に関するものである。
【背景技術】
【０００２】
定電流出力装置として、下記特許文献に開示された直流定電流出力装置が知られている。この直流定電流出力装置は、被測定体に定電流（直流定電流）を供給する定電流回路であって、基準電圧を発生する基準電圧発生部と、この発生した基準電圧を定電流に変換して被測定体に供給可能とするための増幅器（演算増幅器）およびｎｐｎ型のトランジスタと、被測定体に供給する定電流の値を決定する基準抵抗を有している。
【０００３】
この直流定電流出力装置では、非反転入力端子に基準電圧が入力された増幅器が、その出力端子に接続された上記トランジスタで構成される電流バッファを介して被測定体に電流を供給する。この電流は、基準抵抗を介してグランドに流れる。この場合、増幅器の反転入力端子は非反転入力端子とバーチャルショートになっているため、増幅器の反転入力端子は基準電圧に規定されている。したがって、基準抵抗に流れる電流、すなわち被測定体に流れる電流は、基準抵抗の抵抗値と基準電圧の電圧値とで規定される定電流となる。
【先行技術文献】
【特許文献】
【０００４】
【特許文献１】特開平５−９９９６１号公報（第２頁、第３図）
【発明の概要】
【発明が解決しようとする課題】
【０００５】
ところで、交流定電流を出力する交流定電流出力装置については、例えば、上記の定電流出力装置をベースとして交流定電流出力装置を構成することにより、図３に示す構成の交流定電流出力装置５１で実現することができる。この交流定電流出力装置５１は、交流信号生成部５２、演算増幅器（オペアンプ）５３、基準抵抗５４、電流バッファ５５、帰還抵抗５６、コンデンサ５７を備え、一対の出力端子５８，５９に接続された負荷１００に対して交流定電流Ｉ１を供給する。
【０００６】
この交流定電流出力装置５１では、交流信号生成部５２が基準交流電圧（周波数および振幅が一定の交流電圧）Ｖ１を生成する。次いで、演算増幅器５３が、非反転入力端子に入力されたこの基準交流電圧Ｖ１を電圧Ｖ２に増幅して出力し、電流バッファ５５が、この電圧Ｖ２をほぼ一倍の倍率で増幅して、コンデンサ５７を介して負荷１００に印加する。これにより、負荷１００には、演算増幅器５３の反転入力端子とグランドとの間に接続された基準抵抗５４の抵抗値で基準交流電圧Ｖ１を除算した電流値の交流定電流Ｉ１が流れる。
【０００７】
この交流定電流出力装置５１のような定電流源については、負荷１００の抵抗値が変動したとしても、負荷１００に対して定電流を供給し続けることができるように、その出力インピーダンス（出力抵抗）が理想的には無限大、現実的には十分に大きな抵抗値に規定されている必要がある。この交流定電流出力装置５１では、基準抵抗５４の抵抗値をＲｒｅｆをとし、帰還抵抗５６の抵抗値をＲｐとし、かつ演算増幅器５３の開ループゲインをＡｏとしたときに、出力インピーダンスＺｏは下記式（１）で表される。
Ｚｏ＝（１＋Ａｏ）×Ｒｒｅｆ×Ｒｐ／（Ｒｒｅｆ＋Ｒｐ）  ・・・・（１）
【０００８】
したがって、この出力インピーダンスＺｏを十分に大きな値に規定するためには、基準抵抗５４の抵抗値Ｒｒｅｆが交流定電流Ｉ１の電流値を規定するものであることから、帰還抵抗５６の抵抗値Ｒｐを大きくする必要がある。ところが、演算増幅器５３の一対の入力端子間にはオフセット電圧Ｖｏｓが常に発生しており、このオフセット電圧Ｖｏｓは、交流定電流出力装置５１の出力電圧（演算増幅器５３からの電圧Ｖ２）中に、下記式（２）に示す出力オフセット電圧Ｖｏｓｏとして増幅された状態で現れるため、帰還抵抗５６の抵抗値Ｒｐを大きくしたときには、この出力オフセット電圧Ｖｏｓｏも大きくなって、演算増幅器５３の出力が飽和する虞もある。
Ｖｏｓｏ＝（Ｒｐ／Ｒｒｅｆ＋１）×Ｖｏｓ  ・・・・（２）
【０００９】
したがって、この種の交流定電流出力装置では、出力インピーダンスＺｏの抵抗値を大きくしつつ、出力オフセット電圧Ｖｏｓｏを低減することが望まれているが、この交流定電流出力装置５１では、出力インピーダンスＺｏの抵抗値を大きくしつつ、出力オフセット電圧Ｖｏｓｏを低減することが困難であるという解決すべき課題が存在している。
【００１０】
本発明は、かかる課題に鑑みてなされたものであり、出力インピーダンスを大きくしつつ、出力オフセット電圧を低減し得る交流定電流出力装置を提供することを主目的とする。
【課題を解決するための手段】
【００１１】
上記目的を達成すべく請求項１記載の交流定電流出力装置は、非反転入力端子に基準交流電圧が入力されると共に反転入力端子が基準抵抗を介して基準電位に接続された演算増幅器を少なくとも有する増幅回路、および当該増幅回路の出力部と前記反転入力端子との間に接続された帰還抵抗を有し、前記基準交流電圧の電圧値と前記基準抵抗の抵抗値とで電流値が規定される前記交流定電流を前記出力部から出力する増幅部と、前記出力部に接続されて前記交流定電流を入力すると共に当該交流定電流に含まれている直流電流成分を除去して出力するコンデンサとを備えた交流定電流出力装置であって、前記増幅回路の前記出力部から出力される出力電圧に含まれている直流電圧成分を検出して当該検出した直流電圧成分の大きさに応じた直流補償電圧を前記演算増幅器の前記非反転入力端子にフィードバックすることにより、前記出力電圧における前記直流電圧成分を低減する補償部を備えている。
【００１２】
また、請求項２記載の交流定電流出力装置は、請求項１記載の交流定電流出力装置において、前記補償部は、前記出力電圧を入力して当該出力電圧に含まれている前記直流電圧成分を検出すると共に、当該検出した直流電圧成分を反転して前記直流補償電圧として前記非反転入力端子に出力する反転増幅回路を備えて構成されている。
【発明の効果】
【００１３】
請求項１記載の交流定電流出力装置によれば、入力した基準交流電圧に基づいて負荷に対して交流定電流を供給する増幅部の出力部から出力される出力電圧に含まれている直流電圧成分を検出して、この検出した直流電圧成分の大きさに応じた直流補償電圧を演算増幅器の非反転入力端子にフィードバックして、出力電圧における直流電圧成分を低減する補償部を備えたことにより、増幅部を構成する演算増幅器の帰還抵抗の抵抗値を大きくした場合であっても、演算増幅器のオフセット電圧に起因して発生する出力オフセット電圧を低減することができる。したがって、この交流定電流出力装置によれば、演算増幅器の出力が飽和する事態を出力オフセット電圧を低減することによって回避しつつ、増幅部の出力インピーダンスを大きくして、交流定電流が供給される負荷の抵抗値が変動したとしても、振幅が一定の交流定電流を供給し続けることができる。
【００１４】
また、請求項２記載の交流定電流出力装置によれば、出力電圧を入力してこの出力電圧に含まれている直流電圧成分を検出すると共に、検出した直流電圧成分を反転して増幅部を構成する演算増幅器の非反転入力端子に直流補償電圧として出力する反転増幅回路を備えて補償部が構成されているため、簡易な構成でありながら、演算増幅器のオフセット電圧に起因して発生する出力オフセット電圧を確実にほぼゼロボルトに低減することができる。
【図面の簡単な説明】
【００１５】
【図１】交流定電流出力装置１のブロック図である。
【図２】交流定電流出力装置１Ａのブロック図である。
【図３】一般的な交流定電流出力装置５１のブロック図である。
【発明を実施するための形態】
【００１６】
以下、交流定電流出力装置１の実施の形態について、添付図面を参照して説明する。
【００１７】
最初に、交流定電流出力装置１の構成について、添付図面を参照して説明する。
【００１８】
図１に示す交流定電流出力装置１は、交流信号生成部２、増幅部３、コンデンサ４および補償部５を備え、一対の出力端子６，７に接続された負荷１００に対して交流定電流Ｉ１を供給可能に構成されている。
【００１９】
交流信号生成部２は、交流定電圧生成装置で構成されて、周波数および振幅が一定の交流電圧である基準交流電圧Ｖ１をグランド電位（基準電位の一例）を基準として生成して出力する。
【００２０】
増幅部３は、増幅回路１１、基準抵抗（抵抗値Ｒｒｅｆ）１２および帰還抵抗（抵抗値Ｒｐ）１３を備えている。増幅回路１１は、演算増幅器１１ａおよび電流バッファ１１ｂを備えて構成されている。この場合、演算増幅器１１ａは、その非反転入力端子が補償部５の後述する第３抵抗２５を介して交流信号生成部２に接続され、その反転入力端子が基準抵抗１２を介してグランド電位に接続されている。また、演算増幅器１１ａは、その出力端子に電流バッファ１１ｂの入力端子が接続されている。また、電流バッファ１１ｂの出力端子（つまり、増幅部３の出力部）３ａと演算増幅器１１ａの反転入力端子との間に帰還抵抗１３が接続されている。また、帰還抵抗１３の抵抗値Ｒｐは、上記式（１）で示される増幅部３の出力インピーダンスＺｏが十分に大きな値となるように、大きな抵抗値に規定されている。電流バッファ１１ｂは、一例として、ＮＰＮ型およびＰＮＰ型のコンプリメンタリペアのトランジスタを組合わせて構成されたコンプリメンタリエミッタフォロア回路で構成されて、入力した電圧信号をほぼ１倍の倍率で出力すると共に、交流定電流出力装置１の電流供給能力を高める機能を備えている。
【００２１】
この構成により、増幅部３は、演算増幅器１１ａを用いた非反転増幅回路として構成されて、演算増幅器１１ａの非反転入力端子に入力される基準交流電圧Ｖ１を電圧Ｖ２に増幅して出力部３ａから出力電圧として出力する。また、増幅部３は、基準交流電圧Ｖ１が入力される非反転入力端子に対してバーチャルショートの関係にある演算増幅器１１ａの反転入力端子とグランド電位（基準電位の一例）との間に基準抵抗１２が接続されているため、電圧Ｖ２の負荷１００への出力（印加）により、増幅部３の出力部３ａから、コンデンサ４、一方の出力端子６、負荷１００、他方の出力端子７および基準抵抗１２を経由してグランド電位に至る電流経路に、基準交流電圧Ｖ１の電圧値を基準抵抗１２の抵抗値で除算して得られる振幅（一定の振幅）の交流定電流Ｉ１を供給可能となっている。
【００２２】
コンデンサ４は、増幅部３の出力部３ａと交流定電流出力装置１の一方の出力端子６との間に接続されて（配設されて）、交流定電流Ｉ１を入力すると共に、交流定電流Ｉ１に含まれている直流電流成分を除去して出力する。一対の出力端子６，７には、同図に示すように、負荷１００が接続される。
【００２３】
補償部５は、増幅部３の出力部３ａと演算増幅器１１ａの非反転入力端子との間に配設されて、出力部３ａから出力されている電圧（出力電圧）Ｖ２に含まれている直流電圧成分を検出（抽出）して演算増幅器１１ａの非反転入力端子にフィードバック（負帰還）することにより、演算増幅器１１ａのオフセット電圧Ｖｏｓと相殺して、この直流電圧成分を低減する機能を備えている。本例では、交流信号生成部２から出力される基準交流電圧Ｖ１は、直流成分の重畳していない交流成分のみで構成される電圧信号である。このため、増幅部３から出力される電圧Ｖ２に含まれている直流電圧成分は、主として演算増幅器１１ａのオフセット電圧Ｖｏｓに起因する直流電圧成分（上記式（２）で表される出力オフセット電圧Ｖｏｓｏ）となることから、補償部５は、出力オフセット電圧Ｖｏｓｏを低減する。
【００２４】
具体的には、補償部５は、一例として、第１抵抗（抵抗値Ｒ１）２１、演算増幅器（オペアンプ）２２、コンデンサ（容量値Ｃ１）２３、第２抵抗（抵抗値Ｒ２）２４および第３抵抗（抵抗値Ｒ３）２５を備えている。この補償部５は、第１抵抗２１の一端が増幅部３の出力部３ａに接続されると共に、第１抵抗２１の他端が演算増幅器２２の反転入力端子に接続され、かつ演算増幅器２２の非反転入力端子がグランド電位（基準電位の一例）に接続され、コンデンサ２３が演算増幅器２２の反転入力端子と出力端子との間に接続され（演算増幅器２２の負帰還回路に構成され）、かつ第２抵抗２４の一端が演算増幅器２２の出力端子に接続されると共に、第２抵抗２４の他端が増幅部３の演算増幅器１１ａにおける非反転入力端子に接続されることにより、全体として反転増幅回路（具体的には、下記式（３）で表されるカットオフ周波数ｆｃに規定されたローパスフィルタ）に構成されている。第３抵抗２５は、交流信号生成部２と演算増幅器１１ａの非反転入力端子との間に接続されている。
ｆｃ＝Ｒ３／（（Ｒ３＋Ｒ２）×２π×Ｃ１×Ｒ１）  ・・・・  （３）
【００２５】
この構成の補償部５では、演算増幅器２２が、非反転入力端子に入力されているグランド電位と、反転入力端子に第１抵抗２１を介して入力されている電圧Ｖ２に含まれている直流電圧成分（出力オフセット電圧Ｖｏｓｏ）との差分を検出し、その極性を反転させて直流補償電圧（出力オフセット電圧Ｖｏｓｏに対して極性が反転している電圧）として第２抵抗２４を介して演算増幅器１１ａの非反転入力端子に出力する（フィードバックする）ことにより、演算増幅器１１ａのオフセット電圧Ｖｏｓと相殺して、反転入力端子に入力されている出力オフセット電圧Ｖｏｓｏと非反転入力端子に入力されている電圧グランド電位との差分をゼロにする。つまり、補償部５により、増幅部３から出力される電圧Ｖ２における直流電圧成分（出力オフセット電圧Ｖｏｓｏ）が電圧グランド電位と同電位、すなわちゼロボルトに制御される。
【００２６】
なお、補償部５を構成する演算増幅器２２にも演算増幅器１１ａと同様にして、非反転入力端子と反転入力端子との間にオフセット電圧Ｖｏｓ１が発生している。このため、実際には、増幅部３から出力される電圧Ｖ２における直流電圧成分（出力オフセット電圧Ｖｏｓｏ）は、電圧グランド電位からオフセット電圧Ｖｏｓ１分だけシフトした電位に補償部５によって制御されるが、オフセット電圧Ｖｏｓ１の電圧値は数ミリボルトであって十分に小さい。したがって、増幅部３から出力される電圧Ｖ２における直流電圧成分（出力オフセット電圧Ｖｏｓｏ）は、補償部５により、実質的に電圧グランド電位と同電位、すなわちゼロボルトに制御される。
【００２７】
次に、交流定電流出力装置１による負荷１００への交流定電流Ｉ１の供給動作について、図面を参照して説明する。なお、負荷１００は、交流定電流出力装置１の一対の出力端子６，７間に予め接続されているものとする。
【００２８】
作動状態において、交流定電流出力装置１では、交流信号生成部２が、基準交流電圧Ｖ１を生成して増幅部３に出力し、増幅部３が、この基準交流電圧Ｖ１を第３抵抗２５を介して入力すると共に、電圧Ｖ２に非反転増幅して出力部３ａから出力する。この増幅部３からの電圧Ｖ２の出力により、コンデンサ４、出力端子６、負荷１００、出力端子７および基準抵抗１２を介してグランド電位に至る電流経路に、基準交流電圧Ｖ１の電圧値と基準抵抗１２の抵抗値Ｒｒｅｆとで規定される振幅の交流定電流Ｉ１が流れる。
【００２９】
本例では、帰還抵抗１３の抵抗値Ｒｐが上記したように十分に大きな値に規定されているため、増幅部３の出力インピーダンスＺｏも負荷１００の抵抗値に対して十分に大きな値に規定されている。このため、交流定電流出力装置１は、負荷１００の抵抗値が変動したとしても、振幅が一定の交流定電流Ｉ１を供給し続けることが可能となっている。
【００３０】
しかも、交流定電流出力装置１では、演算増幅器１１ａのオフセット電圧Ｖｏｓに起因する出力オフセット電圧Ｖｏｓｏについては、補償部５の上記したフィードバック動作によって大幅に低減される（電圧グランド電位からオフセット電圧Ｖｏｓ１分だけシフトした電位（ほぼゼロボルト）に制御される）。このため、帰還抵抗１３の抵抗値Ｒｐを十分に大きくしている状況下においても、演算増幅器１１ａの出力が飽和する事態を確実に回避することが可能となっている。
【００３１】
このように、この交流定電流出力装置１によれば、入力した基準交流電圧Ｖ１に基づいて負荷１００に対して交流定電流Ｉ１を供給する増幅部３の出力部３ａから出力される電圧Ｖ２に含まれている直流電圧成分を検出して、この検出した直流電圧成分の大きさに応じた電圧値の直流補償電圧を演算増幅器１１ａの非反転入力端子にフィードバックする補償部５を備えたことにより、帰還抵抗１３の抵抗値Ｒｐを大きくした場合であっても、演算増幅器１１ａのオフセット電圧Ｖｏｓに起因して発生する出力オフセット電圧Ｖｏｓｏを低減することができる。したがって、この交流定電流出力装置１によれば、演算増幅器１１ａの出力が飽和する事態を出力オフセット電圧Ｖｏｓｏを低減することによって回避しつつ、増幅部３の出力インピーダンスＺｏを大きくして、負荷１００の抵抗値が変動したとしても、振幅が一定の交流定電流Ｉ１を供給し続けることができる。
【００３２】
また、この交流定電流出力装置１によれば、電圧Ｖ２を入力して電圧Ｖ２における直流電圧成分（主として出力オフセット電圧Ｖｏｓｏで構成される成分）を検出すると共に、検出した直流電圧成分を反転して増幅部３を構成する演算増幅器１１ａの非反転入力端子に直流補償電圧として出力する反転増幅回路を備えて構成されているため、簡易な構成でありながら、演算増幅器１１ａのオフセット電圧Ｖｏｓに起因して発生する出力オフセット電圧Ｖｏｓｏを確実にほぼゼロボルトに低減することができる。
【００３３】
なお、上記の交流定電流出力装置１では、補償部５を図１に示す反転増幅回路で構成しているが、図２に示す交流定電流出力装置１Ａのように、他の反転増幅回路を用いて構成された補償部５Ａを備えた構成とすることもできる。以下、この交流定電流出力装置１Ａについて説明する。なお、交流定電流出力装置１と同一の構成については同一の符号を付して重複する説明を省略する。
【００３４】
まず、交流定電流出力装置１Ａの構成について説明するが、補償部５Ａを除く他の構成については、交流定電流出力装置１の構成と同一であるため、補償部５Ａについて説明する。なお、補償部５Ａの説明においても、補償部５と同一の構成については同一の符号を付して重複する説明を省略する。
【００３５】
補償部５Ａは、補償部５と同様にして、出力部３ａから出力される電圧Ｖ２に含まれている直流電圧成分（主たる直流成分である出力オフセット電圧Ｖｏｓｏ）を検出（抽出）し、検出したこの直流電圧成分の大きさに応じた電圧値の直流補償電圧を演算増幅器１１ａの非反転入力端子にフィードバック（負帰還）することにより、この出力オフセット電圧Ｖｏｓｏを低減する機能を備えている。
【００３６】
具体的には、補償部５Ａは、一例として、第１抵抗（抵抗値Ｒ１）２１、演算増幅器（オペアンプ）２２、コンデンサ（容量値Ｃ１）２３、第２抵抗（抵抗値Ｒ２）２４、第３抵抗（抵抗値Ｒ３）２５、第４抵抗（抵抗値Ｒ４）２６、演算増幅器（オペアンプ）２７および第５抵抗（抵抗値Ｒ５）２８を備えている。この場合、第１抵抗２１の一端が増幅部３の出力部３ａに接続されると共に、第１抵抗２１の他端が演算増幅器２２の反転入力端子に接続され、演算増幅器２２の非反転入力端子がグランド電位（基準電位の一例）に接続され、かつコンデンサ２３が演算増幅器２２の反転入力端子と出力端子との間に接続されている（つまり、コンデンサ２３が、演算増幅器２２の負帰還回路に構成されている。また、演算増幅器２２の出力端子とグランド電位との間には、第２抵抗２４および第４抵抗２６の直列回路が接続されている。
【００３７】
また、演算増幅器２７の非反転入力端子は、第２抵抗２４と第４抵抗２６との接続点に接続され、演算増幅器２７の反転入力端子は、第３抵抗２５を介して交流信号生成部２に接続されると共に、第５抵抗２８を介して演算増幅器２７の出力端子に接続されている。また、演算増幅器２７の出力端子は、演算増幅器１１ａの反転入力端子に接続されている。この構成により、補償部５Ａは、全体として反転増幅回路（具体的には、下記式（４）で表されるカットオフ周波数ｆｃに規定されたローパスフィルタ）に構成されている。
ｆｃ＝（Ｒ３＋Ｒ５）×Ｒ４／（Ｒ３×（Ｒ４＋Ｒ２）×２π×Ｃ１×Ｒ１）
・・・・  （４）
【００３８】
次いで、交流定電流出力装置１Ａの動作について、補償部５Ａの動作を主としつつ説明する。
【００３９】
この補償部５Ａでは、演算増幅器２２が、電圧Ｖ２に含まれている直流成分（主として出力オフセット電圧Ｖｏｓｏ）を検出し、その極性を反転させて反転直流成分（出力オフセット電圧Ｖｏｓｏに対して極性が反転している電圧成分）として出力する。この反転直流成分は、第２抵抗２４および第４抵抗２６によって分圧されて演算増幅器２７の非反転入力端子に出力される。演算増幅器２７は、この分圧された反転直流成分と、基準交流電圧Ｖ１との差分を非反転増幅して演算増幅器１１ａの非反転入力端子に直流補償電圧として出力する（フィードバックする）。これにより、この補償部５Ａを備えた交流定電流出力装置１Ａにおいても、演算増幅器１１ａの非反転入力端子には、交流信号生成部２からの基準交流電圧Ｖ１と共に、補償部５Ａの演算増幅器２７からの反転直流成分が直流補償電圧として入力され（加算されて入力され）るため、増幅部３から出力される電圧Ｖ２における直流電圧成分（出力オフセット電圧Ｖｏｓｏ）が電圧グランド電位と同電位、すなわちゼロボルトに補償部５Ａによって制御される。
【００４０】
なお、補償部５Ａを構成する演算増幅器２２にも、非反転入力端子と反転入力端子との間にオフセット電圧Ｖｏｓ１が発生しているため、実際には、補償部５Ａにより、増幅部３から出力される電圧Ｖ２における直流電圧成分（出力オフセット電圧Ｖｏｓｏ）は、電圧グランド電位からオフセット電圧Ｖｏｓ１分だけシフトした電位に制御されるが、オフセット電圧Ｖｏｓ１の電圧値は数ミリボルトであって十分に小さい。したがって、増幅部３から出力される電圧Ｖ２における直流電圧成分（出力オフセット電圧Ｖｏｓｏ）は、実質的に電圧グランド電位と同電位、すなわちゼロボルトに補償部５Ａによって制御される。
【００４１】
したがって、交流定電流出力装置１Ａにおいても、帰還抵抗１３の抵抗値Ｒｐを十分に大きな値に規定して、増幅部３の出力インピーダンスＺｏを十分に大きな値に規定することにより、負荷１００の抵抗値の変動に拘わらず、振幅が一定の交流定電流Ｉ１を供給し続けることができると共に、オフセット電圧Ｖｏｓに起因する演算増幅器１１ａの出力の飽和を確実に回避することができる。
【符号の説明】
【００４２】
１，１Ａ  交流定電流出力装置
２  交流信号生成部
３  増幅部
３ａ  出力端子
４  コンデンサ
５，５Ａ  補償部
１１  増幅回路
１１ａ  演算増幅器
１２  基準抵抗
１３  帰還抵抗
Ｉ１  交流定電流
Ｖ１  基準交流電圧
Ｖｏｓ  オフセット電圧
【図１】
2011221778.tif 000003
【図２】
2011221778.tif 000004
【図３】
2011221778.tif 000005